(57)【特許請求の範囲】
【請求項１】
電線と、前記電線の末端に設けられた端子が収容された収容口を端面に有するコネクタと、前記収容口を保護する保護部材と、を備えたコネクタ付き電線であって、
前記保護部材は、
前記コネクタの外周形状に対応した開口形状の第１端部、前記電線の外周形状に対応した開口形状の第２端部、及び、前記第１端部及び前記第２端部を繋ぐ中間部を含む、筒形状を有し、
前記第１端部は、
前記中間部から突出した複数の突出片が前記中間部の周方向に並んだ形状を有すると共に、前記複数の突出片が前記コネクタの外周面に密着するように配置され、
前記第２端部は、
前記電線の外周面と該第２端部との間の隙間を塞ぐ固定具によって前記電線に固定され、
前記コネクタの前記端面は、前記中間部に覆われ、
前記第１端部の前記コネクタの外周面への密着、及び、前記第２端部の前記電線への固定により、前記保護部材が前記コネクタに固定され、
前記複数の突出片は、互いに対向する位置に形成された一対の第１突出片と、互いに対向する位置に形成された前記一対の第１突出片とは離間した一対の第２突出片と、から構成され、
前記一対の第１突出片は、前記コネクタの互いに対向する一対の第１外周側面にそれぞれ密着し、前記一対の第２突出片は、前記コネクタの互いに対向する前記一対の第１外周側面とは異なる一対の第２外周側面にそれぞれ密着している、
コネクタ付き電線。
【請求項２】
請求項１に記載のコネクタ付き電線において、
前記コネクタが、
一又は複数の前記収容口による収容口群を前記端面に形成し、
前記複数の突出片の少なくとも一つが、
前記保護部材の周方向において前記収容口群の幅以上の幅を有する、
コネクタ付き電線。
【請求項３】
請求項１又は請求項２に記載のコネクタ付き電線において、
前記コネクタが、
前記端面の近傍に自由端があり且つ前記端面から離れた位置に固定端がある片持ち梁状のロックアームを有し、
前記複数の突出片が、
前記ロックアームの可動範囲外に配置される、
コネクタ付き電線。
【請求項４】
請求項１〜請求項３のいずれか一項に記載のコネクタ付き電線において、
前記中間部が、
前記コネクタの前記端面から離れるほど小さい開口断面積を有する、
コネクタ付き電線。
【請求項５】
請求項１〜請求項４のいずれか一項に記載のコネクタ付き電線において、
前記コネクタ及び前記保護部材が、
一方が他方に向かって突出した凸部を有し且つ他方が前記凸部に対応する凹部を有すると共に、前記凸部と前記凹部とが係合することによって該コネクタと該保護部材とが係止される、
コネクタ付き電線。
【発明の詳細な説明】
【技術分野】
【０００１】
本発明は、コネクタ付き電線に関する。
【背景技術】
【０００２】
従来から、電線と、電線の端末に設けられた端子（圧着端子）をキャビティ（収容室）に収容して保持したコネクタと、を備えたコネクタ付き電線が、自動車用のワイヤハーネス等に用いられている。この種のコネクタ付き電線について、近年、アルミニウムを導体として採用した電線（アルミニウム電線）を用いることが提案されている。アルミニウム電線を用いたコネクタ付き電線は、導体として銅が用いられる場合に比べて軽量かつ低コストであるものの、端子に用いられる材料（一般に、銅）とアルミニウムとの自然電位の差に起因し、端子と導体との接触部分に液体が付着したときに導体の腐食（いわゆるガルバニック腐食）が生じる場合がある。
【０００３】
特に、被水環境下（例えば、自動車のエンジンルーム内）で使用するコネクタ付き電線については、高度な防水性が求められるため、高コストではあるものの、防水用に専用設計されたコネクタ付き電線（いわゆる防水コネクタ）が用いられることが多い。一方、コネクタ付き電線が使用される環境によっては（例えば、自動車の床下内およびドア内に用いられる場合）、防水コネクタほどの高度な防水性が求められない場合がある。そのような場合、コスト削減の観点から、簡易的な防水機能を付加した通常のコネクタ付き電線（いわゆる非防水コネクタ）が用いられることがある。
【０００４】
例えば、従来のコネクタ付き電線の一つ（以下「従来例」という。）は、コネクタの収容室を保護する筒状のカバー部材を備え、そのカバー部材の一端（拡径部）をコネクタの外周面の全体に被せると共に、そのカバー部材の他端（縮径部）をテープによって電線に固定するようになっている。これにより、従来例は、コネクタの収容室を保護し、簡易的な防水機能をコネクタ付き電線に付加するようになっている（例えば、特許文献１を参照。）。
【先行技術文献】
【特許文献】
【０００５】
【特許文献１】特開２００２−１０１５２０号公報
【発明の概要】
【発明が解決しようとする課題】
【０００６】
従来例のカバー部材は、コネクタの外周面の全周を覆うようにコネクタに装着するようになっている。そのため、従来例では、カバー部材を高い寸法精度にて製造する必要があることに加え、その寸法精度の高さに起因してカバー部材をコネクタに取り付ける作業が煩雑となる。その結果、従来例では、コネクタ付き電線の製造効率を十分に高められない可能性がある。
【０００７】
本発明は、上述した事情に鑑みてなされたものであり、その目的は、簡易防水を実現しつつ、出来る限り容易に製造可能なコネクタ付き電線を提供することにある。
【課題を解決するための手段】
【０００８】
前述した目的を達成するために、本発明に係るコネクタ付き電線は、下記（１）〜（５）の特徴を有する。
（１）
電線と、前記電線の末端に設けられた端子が収容された収容口を端面に有するコネクタと、前記収容口を保護する保護部材と、を備えたコネクタ付き電線であって、
前記保護部材は、
前記コネクタの外周形状に対応した開口形状の第１端部、前記電線の外周形状に対応した開口形状の第２端部、及び、前記第１端部及び前記第２端部を繋ぐ中間部を含む、筒形状を有し、
前記第１端部は、
前記中間部から突出した複数の突出片が前記中間部の周方向に並んだ形状を有すると共に、前記複数の突出片が前記コネクタの外周面に密着するように配置され、
前記第２端部は、
前記電線の外周面と該第２端部との間の隙間を塞ぐ固定具によって前記電線に固定され、
前記コネクタの前記端面は、前記中間部に覆われ、
前記第１端部の前記コネクタの外周面への密着、及び、前記第２端部の前記電線への固定により、前記保護部材が前記コネクタに固定され、
前記複数の突出片は、互いに対向する位置に形成された一対の第１突出片と、互いに対向する位置に形成された前記一対の第１突出片とは離間した一対の第２突出片と、から構成され、
前記一対の第１突出片は、前記コネクタの互いに対向する一対の第１外周側面にそれぞれ密着し、前記一対の第２突出片は、前記コネクタの互いに対向する前記一対の第１外周側面とは異なる一対の第２外周側面にそれぞれ密着している、
コネクタ付き電線であること。
（２）
上記（１）に記載のコネクタ付き電線において、
前記コネクタが、
一又は複数の前記収容口による収容口群を前記端面に形成し、
前記複数の突出片の少なくとも一つが、
前記保護部材の周方向において前記収容口群の幅以上の幅を有する、
コネクタ付き電線であること。
（３）
上記（１）又は上記（２）に記載のコネクタ付き電線において、
前記コネクタが、
前記端面の近傍に自由端があり且つ前記端面から離れた位置に固定端がある片持ち梁状のロックアームを有し、
前記複数の突出片が、
前記ロックアームの可動範囲外に配置される、
コネクタ付き電線。
（４）
上記（１）〜上記（３）のいずれか一項に記載のコネクタ付き電線において、
前記中間部が、
前記コネクタの前記端面から離れるほど小さい開口断面積を有する、
コネクタ付き電線であること。
（５）
上記（１）〜上記（４）のいずれか一項に記載のコネクタ付き電線において、
前記コネクタ及び前記保護部材が、
一方が他方に向かって突出した凸部を有し且つ他方が前記凸部に対応する凹部を有すると共に、前記凸部と前記凹部とが係合することによって該コネクタと該保護部材とが係止される、
コネクタ付き電線であること。
【０００９】
上記（１）の構成のコネクタ付き電線によれば、第１端部を形成する複数の突出片がコネクタの形状に対応して変形（湾曲）可能であるため、コネクタへ保護部材を装着する（例えば、保護部材内にコネクタを押し込む）とき、複数の突出片が適宜変形して第１端部の開口面積が広がる。これにより、コネクタへ保護部材を容易に装着できる。更に、第１端部（突出部）の根元までコネクタを挿入すれば、収容口が設けられたコネクタの端面を保護部材の中間部が覆うこととなる。加えて、第１端部のコネクタへの密着および第２端部の電線への固定により、保護部材のずれを防止できる。したがって、本構成のコネクタ付き電線は、簡易防水を実現しつつ、出来る限り容易に製造可能である。
【００１０】
上記（２）の構成のコネクタ付き電線によれば、突出片の少なくとも一つが、保護部材の周方向において収容口群の幅よりも広い幅を有するため、保護部材の外部から見たとき、収容口群が突出片に隠されることになる。即ち、収容口群が、保護部材の外部に直接晒されないことになる。そのため、コネクタ付き電線が水に晒された場合であっても、収容口群に水が直接侵入することが防がれる。その結果、本構成のコネクタ付き電線は、収容口群が突出片に隠されない場合に比べ、高い防水機能を有する。
【００１１】
上記（３）の構成のコネクタ付き電線によれば、突出片がロックアームの可動範囲外に配置されるため、コネクタがロックアームを有する場合であっても、ロックアームの動きが妨げられない。その結果、本構成のコネクタ付き電線は、ロックアームの機能を損なうことなく、簡易防水を実現できる。
【００１２】
上記（４）の構成のコネクタ付き電線によれば、中間部の内部を通る電線を徐々に収束させられる。更に、テープによる第２端部と電線との固定を容易に行うことができる。その結果、本構成のコネクタ付き電線は、コネクタ付き電線の製造効率を高められる。
【００１３】
上記（５）の構成のコネクタ付き電線によれば、コネクタに対する保護部材のずれを防止できる。その結果、本構成のコネクタ付き電線は、防水機能をより確実に維持できる。
【発明の効果】
【００１４】
本発明によれば、簡易防水を実現しつつ、出来る限り容易に製造可能なコネクタ付き電線を提供できる。
【００１５】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１６】
【図１】図１は、本発明の第１実施形態に係るコネクタ付き電線の概略斜視図である。
【図２】図２は、図１におけるＩａ−Ｉａ断面図である。
【図３】図３は、図１におけるＩｂ−Ｉｂ断面図である。
【図４】図４は、本発明の第２実施形態に係るコネクタ付き電線の断面図である。
【図５】図５は、本発明の変形例に係るコネクタ付き電線の断面図である。
【発明を実施するための形態】
【００１７】
以下、本発明の実施形態に係るコネクタ付き電線１（以下単に「コネクタ付き電線１」という。）について説明する。
【００１８】
＜第１実施形態＞
まず、第１実施形態に係るコネクタ付き電線１について説明する。
図１〜図３に示すように、本実施形態に係るコネクタ付き電線１は、複数本の絶縁電線Ｗａと、コネクタ１０と、保護部材２０と、を備えている。
【００１９】
図１において、図中の矢印Ａに示す方向を「前方」と称呼し、矢印Ｂに示す方向を「後方」と称呼し、矢印Ｃに示す方向を「上方」と称呼し、矢印Ｄに示す方向を「下方」と称呼する。
【００２０】
絶縁電線Ｗａは、芯線である導体を絶縁体で被覆したものであり、端末部で絶縁体が剥がされて導体が露出され、露出した導体が圧着端子に圧着接続されている。本例においては、各絶縁電線Ｗａがアルミニウム電線で構成され、圧着端子が銅を主成分とする金属材料で構成されている。つまり、本例においては、絶縁電線Ｗａの導体（芯線）と圧着端子とは異種金属によって構成されている。
【００２１】
コネクタ１０は、合成樹脂成形品であるコネクタハウジング１１に絶縁電線Ｗａの末端に接続された圧着端子（図示略）を挿入して収容保持したものである。コネクタハウジング１１は、前面から見て上下よりも左右に長い長方形の略ブロック形状をなし、上壁１１ａ、下壁１１ｂ及び左右側壁１１ｃ，１１ｄからなる外周４面と、前方の端面１１ｅと、後方の端面１１ｆとを有している。なお、コネクタハウジング１１は必ずしも上述した形状を有する必要はなく、種々の形状を有するコネクタハウジングが本発明のコネクタ付き電線に用いられ得る。例えば、コネクタハウジングの形状として、前面から見て左右よりも上下に長い長方形の略ブロック形状、前面から見て正方形の略ブロック形状、前面から見て円形または楕円形の形状、及び、外周面が平坦面ではない形状などが挙げられる。
【００２２】
コネクタハウジング１１は、複数の収容室１３を有している。収容室１３は、左右に配列され、その配列が二段に配置されている。これらの収容室１３は、コネクタハウジング１１の前後方向に沿って形成されており、コネクタハウジング１１の端面１１ｆでの開口部分が収容口１４とされている。絶縁電線Ｗａに接続された圧着端子は、コネクタハウジング１１の端面１１ｆの収容口１４から挿し込まれて収容室１３内に収容保持されている。複数本の絶縁電線Ｗａは、コネクタハウジング１１の収容室１３の収容口１４から後方Ｂへ延びており、コネクタハウジング１１の後方で粘着テープ等によって束ねられて多芯ケーブルＷとされている。なお、コネクタハウジング１１は、必ずしも上述した収容室１３の配置を有する必要はなく、種々の収容室１３の配置を有するコネクタハウジングが本発明のコネクタ付き電線に用いられ得る。
【００２３】
コネクタハウジング１１は、相手側コネクタのコネクタハウジング（図示省略）に嵌合されることで相手側コネクタのコネクタハウジングと接合される。これにより、コネクタハウジング１１の収容室１３に収容された圧着端子が相手側コネクタのコネクタハウジングに設けられた端子と導通されることになる。
【００２４】
コネクタハウジング１１の上壁１１ａにおける左右幅方向の中央部には、上下方向Ｃ，Ｄ（コネクタハウジング１１の外周面に交差する方向）に変位可能なロックアーム１５が設けられている。ロックアーム１５は、コネクタ１０が相手側コネクタと嵌合する際に、相手側コネクタに設けられたロック部と互いに係合して、両コネクタを係止するためのものである。
【００２５】
ロックアーム１５は、コネクタハウジング１１の収容口１４が形成された端面１１ｆから離れた位置である先端側でコネクタハウジング１１に連結されている。ロックアーム１５は、コネクタハウジング１１との連結箇所である固定端１５ａからコネクタハウジング１１の後方Ｂへ向かって延在された片持ち梁状に形成されており、その自由端である後端は、コネクタハウジング１１の端面１１ｆの近傍に配置されている。
【００２６】
ロックアーム１５は、その中間部における上面側に、ロック爪１６が形成されており、このロック爪１６が相手側コネクタのコネクタハウジングに設けられたロック部と係脱される。ロックアーム１５は、その自由端である後端側がコネクタハウジング１１から離間する方向へ湾曲されており、これにより、コネクタハウジング１１の上壁１１ａとの隙間が、コネクタハウジング１１の後方Ｂへ向かって徐々に大きくなっている。ロックアーム１５の後端は、押圧部１７とされており、押圧部１７をコネクタハウジング１１側へ向かって押圧することによってロックアーム１５が弾性変形し、ロック爪１６と相手側コネクタのコネクタハウジングのロック部との係合状態が解除される。即ち、ロックアーム１５は、相手側コネクタのコネクタハウジングに形成された突起および孔部などのロック部と係脱される際に変形して変位する範囲が可動範囲とされている。
【００２７】
保護部材２０は、例えば、ゴムやエラストマーなどの弾性を有する柔軟な樹脂材料から形成されており、コネクタハウジング１１の後端側に装着されている。保護部材２０は、第１端部２１と、第２端部２２と、中間部２３とを含む筒形状を有している。
【００２８】
保護部材２０の第１端部２１は、コネクタハウジング１１の外周形状に沿った開口形状に形成されており、第１端部２１には、コネクタハウジング１１の後端が嵌め込まれている。第１端部２１は、中間部２３から突出した複数の突出片２５が中間部２３の周方向に並んだ形状を有している。突出片２５は、コネクタハウジング１１の外周面に密着している。
【００２９】
図３に示すように、突出片２５は、幅方向の長さ寸法Ｌａを有する一対の突出片２５Ａと、突出片２５Ａよりも小さい長さ寸法Ｌｂを有する一対の突出片２５Ｂとから構成されている。
【００３０】
突出片２５Ａは、互いに対向する位置に形成されている。同様に、突出片２５Ｂは、互いに対向位置に形成されている。突出片２５Ａは、コネクタハウジング１１における上壁１１ａ及び下壁１１ｂに密着し、突出片２５Ｂは、コネクタハウジング１１における左右側壁１１ｃ，１１ｄに密着している。
【００３１】
突出片２５Ａは、保護部材２０の周方向における幅Ｌａが、コネクタハウジング１１の端面１１ｆにおいて収容口１４が形成する収容口群ＳＡの左右方向の長さ（即ち、保護部材２０の周方向における幅）ＬＡ以上とされ、突出片２５Ｂは、保護部材２０の周方向における幅Ｌｂが、収容口群ＳＡの上下方向の長さ（即ち、保護部材２０の周方向における幅）ＬＢ以上とされている。これにより、保護部材２０の突出片２５の周方向の長さ（２Ｌａ＋２Ｌｂ）は、コネクタハウジング１１の収容口群ＳＡをコネクタハウジング１１の外周面に投影した場合の投影領域の外周面上の長さ（２ＬＡ＋２ＬＢ）以上となっている。
【００３２】
このように、それぞれの突出片２５は、保護部材２０の周方向において、コネクタハウジング１１の収容口群ＳＡの形状に対応した幅を有している。
【００３３】
更に、コネクタハウジング１１の上壁１１ａに配置される突出片２５は、コネクタハウジング１１の上壁１１ａの表面とロックアーム１５との間の隙間に入り込んでいる。上壁１１ａの表面とロックアーム１５との間の隙間に入り込んだ突出片２５は、ロックアーム１５の可動範囲外に配置されている。よって、突出片２５によってロックアーム１５の可動が妨げられることはない。
【００３４】
保護部材２０の第２端部２２は、複数本の絶縁電線Ｗａの束からなる多芯ケーブルＷの周囲に対応した（ケーブルＷの周囲を覆う）大きさとされている。絶縁電線Ｗａの束からなる多芯ケーブルＷの外周面と第２端部２２との間の隙間は、固定具２８（本例においては、多芯ケーブルＷと第２端部２２とに巻きつけられた粘着テープ）によって塞がれている。固定具２８は、例えば、塩化ビニル及び防水性を有する不織布などのテープ材を第２端部２２の外周と多芯ケーブルＷの外周とにわたって巻き付けることにより、形成されている。これにより、第２端部２２と絶縁電線Ｗａの束からなる多芯ケーブルＷの外周面との隙間が塞がれると共に、保護部材２０と絶縁電線Ｗａとが固定される。なお、固定具２８は、保護部材２０と絶縁電線Ｗａとを固定してそれらの間を塞ぐことができる部材であればよく、必ずしもテープ材に限らない。例えば、他の固定具２８として、樹脂製のキャップ等が用いられ得る。
【００３５】
保護部材２０の中間部２３は、第１端部２１及び第２端部２２の間を構成するもので、第１端部２１及び第２端部２２を繋いでいる。中間部２３は、第１端部２１から第２端部２２へ向かって次第に窄まる形状に形成されている。これにより、中間部２３は、コネクタハウジング１１の端面１１ｆから離れるほど小さい開口断面積を有する形状を有している。
【００３６】
以上、説明したように、第１実施形態に係るコネクタ付き電線１によれば、コネクタハウジング１１へ保護部材２０を装着する際に、第１端部２１（複数の突出片２５）が適宜変形して開口面積が変化するため、コネクタハウジング１１へ保護部材２０を容易に装着できる。
【００３７】
更に、第１端部２１（突出部２５）の根元までコネクタハウジング１１を挿入すれば、コネクタハウジング１１の収容口１４がある端面１１ｆを実質的に保護部材２０の中間部２３が覆うこととなる。加えて、第１端部２１のコネクタハウジング１１への密着および第２端部２２の絶縁電線Ｗａへの固定により、保護部材２０のずれが防止される。したがって、コネクタ付き電線１によれば、非防水コネクタに対して簡易防水が可能である。
【００３８】
この簡易防水により、銅を主成分とする金属材料からなる圧着端子に対して、異なる材料であるアルミニウムを導体としたアルミニウム電線を用いたとしても、ガルバニック腐食を抑制できる。
【００３９】
更に、突出片２５が、収容口１４による収容口群ＳＡの形状に対応した幅を保護部材２０の周方向において有することで、保護部材２０による防水機能を高められる。
【００４０】
更に、突出片２５がロックアーム１５の可動範囲外に配置されるので、コネクタハウジング１１がロックアーム１５を有する場合であっても、突出片２５を有する第１端部２１がロックアーム１５の動きを妨げることはない。つまり、ロックアーム１５の機能を損なうことなく、簡易防水を実現できる。
【００４１】
更に、中間部２３が、コネクタハウジング１１の端面１１ｆから離れるほど開口断面積が小さくなっているので、中間部２３の内部を通る絶縁電線Ｗａを徐々に収束させられる。加えて、固定具２８による第２端部２２と絶縁電線Ｗａとの固定を容易に行うことができ、コネクタ付き電線１の製造が容易になる。
【００４２】
＜第２実施形態＞
次に、第２実施形態に係るコネクタ付き電線１について説明する。
なお、上記第１実施形態に係るコネクタ付き電線１と同一構成部分は、同一符号を付して説明を省略する。
【００４３】
図４に示すように、第２実施形態では、保護部材２０の第１端部２１における内周側に、周方向に沿う凹部３１が形成されている。更に、第１端部２１には、凹部３１よりも先端側に、径方向内側へ突出する断面山型形状の係止突起３２が形成されている。一方、コネクタハウジング１１には、端面１１ｆに対応する縁部に、周方向に沿う凸部３５が形成されている。そして、コネクタハウジング１１に形成された凸部３５が、保護部材２０の第１端部２１に形成された凹部３１に係合することにより、コネクタハウジング１１に保護部材２０が係止される。更に、保護部材２０の係止突起３２は、コネクタハウジング１１の凸部３５を係止している。
【００４４】
このように、この第２実施形態に係るコネクタ付き電線１によれば、保護部材２０の凹部３１とコネクタハウジング１１の凸部３５とが係合することで、コネクタハウジング１１に対する保護部材２０のずれを防止し、保護部材２０による確実な簡易防水の効果をより確実に維持できる。
【００４５】
なお、上記の例では、保護部材２０の凹部３１に、コネクタハウジング１１の凸部３５を係合させたが、保護部材２０側に凸部を形成し、この凸部をコネクタハウジング１１側に形成した凹部に係合させることにより、コネクタハウジング１１に保護部材２０を係止させる構造としても良い。
【００４６】
また、本発明は上記実施形態に限定されることはなく、本発明の範囲内において種々の変形例を採用できる。
【００４７】
例えば、図５に示すように、保護部材２０の内側に、径方向内側へ突出する位置決め片４１を形成しても良い。これにより、コネクタハウジング１１に対して保護部材２０の第１端部２１を被せるように組み付ける際に、位置決め片４１がコネクタハウジング１１の端面１１ｆに当接する。よって、コネクタハウジング１１に対する保護部材２０の装着位置を所定の位置に位置決めできる。
【００４８】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４９】
ここで、上述した本発明に係るコネクタ付き電線の実施形態の特徴をそれぞれ以下（１）〜（５）に簡潔に纏めて列記する。
（１）
電線（Ｗ）と、前記電線の末端に設けられた端子が収容された収容口（１４）を端面に有するコネクタ（１０）と、前記収容口を保護する保護部材（２０）と、を備えたコネクタ付き電線（１）であって、
前記保護部材（２０）は、
前記コネクタの外周形状に対応した開口形状の第１端部（２１）、前記電線の外周形状に対応した開口形状の第２端部（２２）、及び、前記第１端部及び前記第２端部を繋ぐ中間部（２３）を含む、筒形状を有し、
前記第１端部（２１）は、
前記中間部から突出した複数の突出片（２５）が前記中間部（２３）の周方向に並んだ形状を有すると共に、前記複数の突出片（２５）が前記コネクタ（１０）の外周面に密着するように配置され、
前記第２端部（２２）は、
前記電線の外周面と該第２端部との間の隙間を塞ぐ固定具（２８）によって前記電線に固定された、
コネクタ付き電線。
（２）
上記（１）に記載のコネクタ付き電線において、
前記コネクタ（１０）が、
一又は複数の前記収容口による収容口群（ＳＡ）を前記端面（１１ｆ）に形成し、
前記複数の突出片（２５）の少なくとも一つが、
前記保護部材（２０）の周方向において前記収容口群（ＳＡ）の幅以上の幅を有する、
コネクタ付き電線。
（３）
上記（１）又は上記（２）に記載のコネクタ付き電線において、
前記コネクタ（１０）が、
前記端面の近傍に自由端があり且つ前記端面から離れた位置に固定端がある片持ち梁状のロックアーム（１５）を有し、
前記複数の突出片（２５）が、
前記ロックアームの可動範囲外に配置される、
コネクタ付き電線。
（４）
上記（１）〜上記（３）のいずれか一項に記載のコネクタ付き電線において、
前記中間部（２３）が、
前記コネクタの前記端面（１１ｆ）から離れるほど小さい開口断面積を有する、
コネクタ付き電線。
（５）
上記（１）〜上記（４）のいずれか一項に記載のコネクタ付き電線において、
前記コネクタ（１０）及び前記保護部材（２０）が、
一方が他方に向かって突出した凸部（３５）を有し且つ他方が前記凸部に対応する凹部（３１）を有すると共に、前記凸部と前記凹部とが係合することによって該コネクタと該保護部材とが係止される、
コネクタ付き電線。
【符号の説明】
【００５０】
１    ：コネクタ付き電線
１０  ：コネクタ
１１ｆ：端面
１４  ：収容口
１５  ：ロックアーム
１５ａ：固定端
２０  ：保護部材
２１  ：第１端部（突出片）
２２  ：第２端部
２３  ：中間部
２８  ：固定具
３１  ：凹部
３５  ：凸部
ＳＡ  ：収容口群
Ｗ    ：多芯ケーブル（電線）
Ｗａ  ：絶縁電線（電線）
【図１】
0006558991.tif 000002
【図２】
0006558991.tif 000003
【図３】
0006558991.tif 000004
【図４】
0006558991.tif 000005
【図５】
0006558991.tif 000006